(57)【特許請求の範囲】
【請求項１】
足場用階段枠を下階の布板上に保持するための金具であって、軸方向に伸縮自在であり、所定長さで固定することができる水平材と、水平材の両端部に垂直方向に設けられた、下端に水平方向内側に張り出した張出部を備える略弓形のガイド部材とを有することを特徴とする足場用階段枠固定金具。
【請求項２】
水平材が、第１の管と、第１の管内に挿入され、第１の管内を摺動可能に設置された第２の管と、第１の管および第２の管を固定する固定治具とで構成されていることを特徴とする請求項１に記載の足場用階段枠固定金具。
【請求項３】
第１の管が、ねじ切りされた貫通孔、または、貫通孔およびナットを有し、第２の管が、その軸方向に溝部を有しており、貫通孔に挿入したボルトを締め付けるとボルトの下端が第２の管の溝部に当接して、水平材の伸縮が抑止され、ボルトを緩めると水平材の伸縮が自由になる構成を有することを特徴とする請求項２に記載の足場用階段枠固定金具。
【請求項４】
ガイド部材が、第１の管の一端に取り付けられた第１のガイド部材と、第２の管の一端に取り付けられた第２のガイド部材とで構成されていることを特徴とする請求項２または３に記載の足場用階段枠固定金具。
【請求項５】
足場用階段枠が、一対の桁材と、桁材の間に設けられたステップと、桁材の上端に設けられたフックと、桁材の下端に設けられた載置治具とを有することを特徴とする請求項１から４までのいずれかに記載の足場用階段枠固定金具。
【発明の詳細な説明】
【技術分野】
【０００１】
本発明は、足場用階段枠の浮き上がりを防止するための金具に関する。
【背景技術】
【０００２】
工事現場における足場には、主としてビルの施工時などに用いられる枠組足場、主として住宅の施工時などに用いられる単管足場などがあり、足場の組立方法としては、本足場、一側足場、二側足場、棚足場などがある。また、支保工、ローリングタワーなども足場の一態様である。例えば、枠組足場は、鋼製、アルミ製などの管を溶接し、鳥居型、梯子型などの形状とした建枠、ジャッキベース、交差筋違（ブレース）、脚注ジョイント（連結ピン）、アームロック、鋼製布板、階段枠、梁枠、壁つなぎ、手すり柱、手すり、手すり枠等を基本部材とし、これらを積上げて構成したものであり、高層ビルの建設現場などの多くの工事現場で用いられている。
【０００３】
ここで、地上と足場との間または足場の上下段の間の移動には、階段枠が用いられるが、階段枠には、大別して、階段枠下部を建枠の横地に固定するタイプの足場用階段枠と階段枠下部を下階の布板上に載置するタイプの足場用階段枠とがある。
【０００４】
図１は、階段枠下部を建枠の横地に固定するタイプの足場用階段枠の例を示す図であり、（ａ）は正面図、（ｂ）は側面図、（ｃ）は（ｂ）の一部拡大図をそれぞれ示している。図２は、階段枠下部を下階の布板上に載置するタイプの足場用階段枠の例を示す図であり、（ａ）は、正面図、（ｂ）は側面図、（ｃ）は（ｂ）の一部拡大図をそれぞれ示している。
【０００５】
図１に示す階段枠の例は、一対の桁材１ａ、１ｂと、桁材の間に設けられたステップ２と、桁材１ａ、１ｂの上端に設けられたフック３ａ、３ｂと、桁材１ａ、１ｂの下端に設けられたフック３ｃ、３ｄを有しており、フック３ａ、３ｂが上階の建枠の横地（図示しない）に、フック３ｃ、３ｄが下階の建枠の横地にそれぞれ引っかけられる構成を有する階段枠４ａの例である。これにより、フック３ａ〜３ｄが上下階に固定され、階段枠４ａが水平方向および垂直方向に移動するのが抑止される。
【０００６】
一方、図２に示す階段枠の例は、一対の桁材１ａ、１ｂと、桁材の間に設けられたステップ２と、桁材１ａ、１ｂの上端に設けられたフック３ａ、３ｂを有する点は図１に示す例と同様であるが、桁材１ａ、１ｂの下端には載置治具５が設けられており、下階の布板（図示しない）上に載置される構成を有する階段枠４ｂの例である。この階段枠４ｂは、桁材１ａ、１ｂの下端にフック３ｃ、３ｄが設けられていないため、階段枠の軽量化などに寄与し、作業性を向上させる。
【０００７】
階段枠下部を下階の布板上に載置するタイプの足場用階段枠については、従来、様々なものが開示されている。例えば、特許文献１には、開閉式の床付き布板に対して下段に設置する昇降用階段を布板の下部に沿うよう跳ね上げたとき、この昇降用階段の跳ね上げの状態を保持する結合保持手段を設けた開閉式の布板装置に関する発明が開示されており、その図６などには、桁材の下部にフックがない階段枠の例が示されている。
【０００８】
特許文献２には、一対の桁材間に複数のステップを有し、桁材の上端にフックを設け、当該フックを介して桁材の上部を横架材に引掛け、桁材の下部を布板上に載置させる階段枠に関する発明が開示されており、例えば、その図３〜図６にも示されているように、この階段枠では、桁材の下部側面に回転自在な係止ピンを横方向移動自在に取り付け、係止ピンを布板に形成した孔に差し込むこととしている。
【０００９】
【特許文献１】特開平１１−１９３６２６号
【特許文献２】特許第３９８２８０７号
【発明の開示】
【発明が解決しようとする課題】
【００１０】
特許文献１に開示の発明では、階段枠の下部を下階の布板上に載置するだけで、階段枠の下部を固定するという技術思想がない。従って、この階段枠は、水平方向、垂直方向に力が負荷された場合には、その移動を防止することができない。このため、階段の昇降時、強風時などには、階段枠の浮き上がり、左右への振れなどが生じ、騒音の原因となり、しかも、作業者に危険が及ぶ場合がある。また、特許文献２に開示の発明では、階段枠の下部に係止ピンがあるため、水平方向の移動を防止できるが、垂直方向（浮き上がり方向）の移動を防止することができない。また、特許文献２に開示の発明では、階段枠自体に固定金具を設置するので、設置位置の自由度が小さい。
【００１１】
本発明は、このような従来技術の問題点を解決するためになされたものであり、足場用階段枠の利用に際し、水平および垂直のいずれの方向についても、その移動を防止することができる足場用階段枠固定金具を提供することを目的とする。
【課題を解決するための手段】
【００１２】
本発明者らは、階段枠下部を下階の布板上に載置するタイプの足場用階段枠を固定する技術に関して鋭意研究を重ねた結果、本発明を完成させた。
【００１３】
本発明は、「足場用階段枠を下階の布板上に保持するための金具であって、軸方向に伸縮自在であり、所定長さで固定することができる水平材と、水平材の両端部に垂直方向に設けられた、下端に水平方向内側に張り出した張出部を備える略弓形のガイド部材とを有することを特徴とする足場用階段枠固定金具。」を要旨とする。
【００１４】
上記の水平材は、第１の管と、第１の管内に挿入され、第１の管内を摺動可能に設置された第２の管と、第１の管および第２の管を固定する固定治具とで構成されているものが好ましく、特に、第１の管が、ねじ切りされた貫通孔、または、貫通孔およびナットを有し、第２の管が、その軸方向に溝部を有しており、貫通孔に挿入したボルトを締め付けるとボルトの下端が第２の管の溝部に当接して、水平材の伸縮が抑止され、ボルトを緩めると水平材の伸縮が自由になる構成を有することが望ましい。
【００１５】
上記のガイド部材は、第１の管の一端に取り付けられた第１のガイド部材と、第２の管の一端に取り付けられた第２のガイド部材とで構成されているものが好ましい。
【００１６】
本発明の足場用階段枠固定金具は、特に、一対の桁材と、桁材の間に設けられたステップと、桁材の上端に設けられたフックと、桁材の下端に設けられた載置治具とを有する足場用階段枠を固定するのに適している。
【発明の効果】
【００１７】
本発明によれば、足場用階段枠の利用に際し、水平および垂直のいずれの方向についても、その移動を防止することができる。
【発明を実施するための最良の形態】
【００１８】
図３は、本発明に係る足場用階段枠固定金具の例を示す図であり、（ａ）は正面図、（ｂ）は側面図、（ｃ）は上面図をそれぞれ示している。図４は、本発明に係る足場用階段枠固定金具の使用態様の例を示す図であり、（ａ）は使用態様を正面から観察した図であり、（ｂ）は使用態様を側面から観察した図である。図５は、本発明に係る足場用階段枠固定金具の他の例を示す図であり、（ａ）は幅木を設置できる足場用階段枠固定金具の例を、（ｂ）は幅木を設置しない足場用階段枠固定金具の例を、（ｃ）は摩擦力で上下方向の移動を抑止する足場用階段枠固定金具の例をそれぞれ示している。
【００１９】
図３に示すように、本発明に係る足場用階段枠固定金具６は、軸方向に伸縮自在の水平材７と、水平材７の軸方向長さの移動を抑止する固定治具（ボルト）８と、水平材７の両端部に垂直方向に設けられたガイド部材９ａ、９ｂとを有する。上記の水平材７としては、階段枠を固定するのに十分な強度を有し、その長さを自由に変更でき、所望の長さで固定することができる構成であれば特に制限はない。
【００２０】
例えば、図３に示すように、第１の管７ａと、第１の管７ａ内に挿入され、第１の管７ａ内を摺動可能に設置された第２の管７ｂとを有し、第１の管７ａおよび第２の管７ｂを固定する固定治具８とで構成されているものを用いることができる。特に、第１の管７ａが、ねじ切りされた貫通孔１５を有し、第２の管７ｂが、その軸方向に溝部１１を有しており、貫通孔１５に挿入したボルト８を締め付けるとボルト８の下端が第２の管７ｂの溝部１１に当接して、水平材７の伸縮が抑止され、ボルト８を緩めると水平材７の伸縮が自由になる構成を有することが望ましい。なお、図では、ねじ切りされた貫通孔にボルトを挿入する例を示しているが、例えば、貫通孔（ねじ切りされていないものでも良い）に挿入したボルトをナットで固定する構成としてもよい。
【００２１】
なお、図３および４では、径の異なる二本の管を用いた例を示しているが、本発明に係る足場用階段枠固定金具６は、このような構成に限定されることはなく、二本以上の管を接続して構成しても良いし、管の断面形状も円形のものに限定されず、角管等の形状であっても良い。また、例えば、水平材の全部または一部にベローズ、バネ等の伸縮材料を用いても良いし、中空の材料だけでなく、中実の材料を用いても良い。さらに、例えば、リップみぞ形鋼、断面が略Ｃ字状の閉塞していない管を用いても良い。但し、軽量化、製造コスト等の観点からは、できる限り部品点数は少ないことが望ましく、図３および４に示す構成を採用するのが望ましい。
【００２２】
水平材７は、図３に示すように、落下防止手段１０を有していることが望ましい。落下防止手段１０は、第１の管７ａに設けられた貫通孔に差し込まれたピン１０ａと、第２の管７ｂの第１の管７ａに挿入される端部に設けられた落下防止ガイド１０ｂとで構成されている。ピン１０ａは、第１の管７ａの内面から突出し、かつ第２の管７ｂの溝部１１には接触しない位置で固定される。これにより、第２の管７ｂが落下しそうになったときには落下防止ガイド１０ｂがピン１０ａに接触するので、落下を防止できる。
【００２３】
ガイド手段としては、例えば、図３に示すように、第１の管７ａの一端に取り付けられた第１のガイド部材９ａと、第２の管７ｂの一端に取り付けられた第２のガイド部材９ｂとで構成されているものを用いることができる。図４に示すように、本発明に係る足場用階段枠固定金具６は、布板１２上に載置された階段枠の載置治具５の固定部５ａ上に取り付けられ、ガイド部材９ａ、９ｂを布板１２の側面に当接させた後、固定治具８を締め付けることにより、階段枠を固定する。
【００２４】
ガイド部材９ａ、９ｂは、階段枠の水平方向（左右方向）および垂直方向（浮き上がり方向）の双方の移動を抑止する部材である。ガイド部材としては、例えば、図４および図５に示すように、その下端に水平方向内側に張り出した張出部１４ａ、１４ｂを有するものを用いる。張出部１４ａ、１４ｂを備えることによって、特に垂直方向により強い力が加わった場合でも、その移動を防止することができる。
【００２５】
図４および図５に示す下端に水平方向内側に張り出した張出部を備える略弓形のガイド部材は、幅木１３が装着されることを想定した場合の例である。上記のガイド部材は、第１の管の一端に取り付けられた第１のガイド部材と、第２の管の一端に取り付けられた第２のガイド部材とで構成されているものが好ましい。
【産業上の利用可能性】
【００２６】
本発明の足場用階段枠固定金具によれば、足場用階段枠の利用に際し、水平および垂直のいずれの方向についても、その移動を防止することができる。従って、本発明の足場用階段枠固定金具は、特に、一対の桁材と、桁材の間に設けられたステップと、桁材の上端に設けられたフックと、桁材の下端に設けられた載置治具とを有する足場用階段枠を固定するのに適している。
【図面の簡単な説明】
【００２７】
【図１】階段枠下部を建枠の横地に固定するタイプの足場用階段枠の例を示す図        （ａ）正面図                                                                （ｂ）側面図                                                                （ｃ）（ｂ）の一部拡大図
【図２】階段枠下部を下階の布板上に載置するタイプの足場用階段枠の例を示す図      （ａ）正面図                                                                （ｂ）側面図                                                                （ｃ）（ｂ）の一部拡大図
【図３】本発明に係る足場用階段枠固定金具の例を示す図                            （ａ）正面図                                                                （ｂ）側面図                                                                （ｃ）上面図
【図４】本発明に係る足場用階段枠固定金具の使用態様の例を示す図                  （ａ）使用態様を正面から観察した図                                          （ｂ）使用態様を側面から観察した図
【図５】本発明に係る足場用階段枠固定金具の他の例を示す図                        （ａ）幅木を設置できる足場用階段枠固定金具の例を示す図                      （ｂ）幅木を設置しない足場用階段枠固定金具の例を示す図
【符号の説明】
【００２８】
１ａ、１ｂ    桁材
２    ステップ
３ａ、３ｂ、３ｃ、３ｄ    フック
４ａ、４ｂ    階段枠
５    載置治具
５ａ    固定部
６    本発明に係る足場用階段枠固定金具
７    水平材
７ａ    第１の管
７ｂ    第２の管
８    固定治具（ボルト）
９ａ、９ｂ、９ｃ、９ｄ、９ｅ、９ｆ    ガイド部材
１０    落下防止手段
１０ａ    ピン
１０ｂ    落下防止ガイド
１１    溝部
１２    布板
１３    幅木
１４ａ、１４ｂ    張出部
１５    貫通孔
【図１】
0005203726.tif 000002
【図２】
0005203726.tif 000003
【図３】
0005203726.tif 000004
【図４】
0005203726.tif 000005
【図５】
0005203726.tif 000006